(57)【要約】【課題】  従来に比して端子数の削減が可能なＦＭ／ＡＭチューナ用集積回路を提供する。【解決手段】  従来別々に設けられていたＰＬＬ入力端子とＡＭ信号出力端子とを一体化し、ＦＭラジオモードにおいてはＦＭラジオ放送波を復調して生成したＦＭコンポジット信号の入力を受け入れ、ＡＭラジオモードにおいてはＡＭラジオ放送波を検波して生成したＡＭ検波信号を出力する共通端子２１を備えたＦＭ／ＡＭチューナ用集積回路２とする。【選択図】        図２
2005229239.tif 000002
【特許請求の範囲】
【請求項１】
ＦＭラジオモードにおいてはラジオ放送波を復調して生成したＦＭコンポジット信号の入力を受け入れ、ＡＭラジオモードにおいてはＡＭラジオ放送波を検波して生成したＡＭ検波信号を出力する共通端子を備えたことを特徴とするＦＭ／ＡＭチューナ用集積回路。
【請求項２】
請求項１に記載の集積回路において、
前記ＦＭコンポジット信号又は前記ＡＭ検波信号から音声信号を取り出す信号処理回路と、
ＦＭラジオモードにおいては前記共通端子から受け入れられたＦＭコンポジット信号を前記信号処理回路に入力し、ＡＭラジオモードにおいては前記ＡＭ検波信号を前記信号処理回路に入力しないよう制御するスイッチング回路と、
を備えたことを特徴とするＦＭ／ＡＭチューナ用集積回路。
【請求項３】
請求項２に記載の集積回路において、
前記スイッチング回路は、ＦＭラジオモードにおいてはオンとなり、ＡＭラジオモードにおいてはハイインピーダンス状態となって、前記ＡＭ検波信号が当該集積回路内部で前記信号処理回路に直接入力されることを阻止する、
ことを特徴とするＦＭ／ＡＭチューナ用集積回路。
【請求項４】
請求項２又は３に記載の集積回路において、
前記スイッチング回路は、反転増幅回路を用いて構成されることを特徴とするＦＭ／ＡＭチューナ用集積回路。
【請求項５】
請求項１乃至４のいずれか一項に記載の集積回路において、
前記ＡＭ検波信号を生成するＡＭ検波回路を備え、
ＦＭラジオモードにおいては、前記ＡＭ検波回路をハイインピーダンス状態とする、
ことを特徴とするＦＭ／ＡＭチューナ用集積回路。
【請求項６】
請求項１乃至５のいずれか一項に記載の集積回路において、
前記ＦＭコンポジット信号を生成するＦＭ復調回路を備え、
ＡＭラジオモードにおいては、前記ＦＭ復調回路をローインピーダンス状態とする、
ことを特徴とするＦＭ／ＡＭチューナ用集積回路。
【請求項７】
請求項２乃至６のいずれか一項に記載の集積回路において、
前記信号処理回路は、前記ＦＭコンポジット信号に含まれるパイロット信号を打ち消すためのパイロットキャンセル信号を生成するキャンセル信号生成回路を含み、
前記生成したパイロットキャンセル信号の出力端子を備えた、
ことを特徴とするＦＭ／ＡＭチューナ用集積回路。
【請求項８】
請求項２乃至７のいずれか一項に記載の集積回路において、
ＦＭラジオモードにおいてラジオ放送波を復調して生成した前記ＦＭコンポジット信号を外部に出力するＦＭ信号出力端子と、
前記ＦＭ信号出力端子から出力された前記ＦＭコンポジット信号又は前記共通端子から出力された前記ＡＭ検波信号の入力を受け入れて、前記信号処理回路に出力するＦＭ／ＡＭ信号入力端子と、
を備え、
前記ＦＭ信号出力端子と前記ＦＭ／ＡＭ信号入力端子とは、第１の回路要素を介して接続され、
前記ＦＭ信号出力端子と前記共通端子とは、第２の回路要素を介して接続され、
前記共通端子と前記ＦＭ／ＡＭ信号入力端子とは、第３の回路要素を介して接続され、
前記第１、第２、第３の回路要素それぞれの回路定数は、
ＦＭラジオモードにおける前記ＦＭコンポジット信号が前記第３の回路要素を介して前記ＦＭ／ＡＭ信号入力端子に入力されることを阻止し、ＡＭラジオモードにおける前記ＡＭ検波信号が前記第１の回路要素を介して前記ＦＭ／ＡＭ信号入力端子に入力されることを阻止するよう設定されている、
ことを特徴とするＦＭ／ＡＭチューナ用集積回路。
【請求項９】
請求項１乃至７のいずれか一項に記載の集積回路を含んで構成されることを特徴とするＦＭ／ＡＭチューナ。
【請求項１０】
請求項９に記載のＦＭ／ＡＭチューナにおいて、
前記集積回路は、
前記ＦＭコンポジット信号を出力するＦＭ信号出力端子と、
前記ＦＭコンポジット信号と前記ＡＭ検波信号の入力を受け入れるＦＭ／ＡＭ信号入力端子と、
を備え、
前記ＦＭ信号出力端子と前記ＦＭ／ＡＭ信号入力端子とは、第１の回路要素を介して接続され、
前記ＦＭ信号出力端子と前記共通端子とは、第２の回路要素を介して接続され、
前記共通端子と前記ＦＭ／ＡＭ信号入力端子とは、第３の回路要素を介して接続され、
前記第１、第２、第３の回路要素それぞれの回路定数は、
ＦＭラジオモードにおける前記ＦＭコンポジット信号が前記第３の回路要素を介して前記ＦＭ／ＡＭ信号入力端子に入力されることを阻止し、ＡＭラジオモードにおける前記ＡＭ検波信号が前記第１の回路要素を介して前記ＦＭ／ＡＭ信号入力端子に入力されることを阻止するよう設定されている、
ことを特徴とするＦＭ／ＡＭチューナ。
【発明の詳細な説明】
【技術分野】
【０００１】
本発明は、ＦＭ／ＡＭチューナ用集積回路に関する。
【背景技術】
【０００２】
近年、ＦＭ／ＡＭチューナの構成要素の一つであるＦＭ／ＡＭチューナ用集積回路（ＩＣ）の一層の小型化が求められ、いわゆるワンチップ化が進められている。図３に、従来のＦＭ／ＡＭチューナ用ワンチップ集積回路６を含んで構成されるＦＭ／ＡＭチューナ５の一例について、その主な構成を表すブロック図を示す。
【０００３】
この例における集積回路６は、ＦＭ復調回路４０、ＡＭ検波回路４１、信号処理回路４２、反転アンプ（反転増幅回路）３０、を含んで構成されている。信号処理回路４２は、さらにＰＬＬ（phase locked loop）回路４３、キャンセル信号生成回路４４、デコーダ回路４５を含んで構成されている。
【０００４】
ＦＭ復調回路４０は、例えばＦＭ中間周波数回路（ＦＭＩＦ）を含んで構成され、ＦＭラジオモードにおいて、受信したＦＭラジオ放送波を復調してＦＭコンポジット信号を生成し、出力する。ここで、ＦＭコンポジット信号とは、例えば図４に示すように、左ステレオ信号（Ｌ信号）、右ステレオ信号（Ｒ信号）の和信号（Ｌ＋Ｒ信号）、差信号（Ｌ−Ｒ信号）、１９ｋＨｚのパイロット信号を含む信号である。ＡＭ検波回路４１は、例えばＡＭ中間周波数回路（ＡＭＩＦ）を含んで構成され、ＡＭラジオモードにおいて、受信したＡＭラジオ放送波を検波してＡＭ検波信号を生成し、出力する。信号処理回路４２は、ＦＭコンポジット信号、ＡＭ検波信号から音声信号を取り出し、出力する。反転アンプ３０は、受け入れたＦＭコンポジット信号又はＡＭ検波信号を反転増幅して出力する。
【０００５】
ＰＬＬ回路４３は、例えば電圧制御発振器、位相比較器などを含んで構成され、ＦＭコンポジット信号のステレオ復調に必要なサブキャリア（差信号を搬送する例えば３８ｋＨｚの副搬送波）を発生し、出力する。また、ＰＬＬ回路４３は、ＦＭコンポジット信号の送信タイミングを表すスイッチング信号を生成し、出力する。キャンセル信号生成回路４４は、ＦＭコンポジット信号に含まれるパイロット信号を打ち消すための、パイロット信号と逆相のパイロットキャンセル信号を生成し、出力する。デコーダ回路４５は、受け入れたＦＭコンポジット信号からＦＭステレオ音声信号を再生し、出力する。また、デコーダ回路４５は、受け入れたＡＭ検波信号からＡＭモノラル音声信号を再生し、出力する。
【０００６】
また、集積回路６は、ＦＭ信号出力端子２０、ＰＬＬ入力端子２４、ＡＭ信号出力端子２５、ＦＭ／ＡＭ信号入力端子２２、キャンセル信号出力端子２３、を備えている。
【０００７】
ＦＭ信号出力端子２０は、ＦＭラジオモードにおいてＦＭコンポジット信号を出力する。ＰＬＬ入力端子２４は、ＦＭラジオモードにおいてＦＭコンポジット信号の入力のみを受け入れる。ＡＭ信号出力端子２５は、ＡＭラジオモードにおいてＡＭ検波信号を出力する。ＦＭ／ＡＭ信号入力端子２２は、ＦＭラジオモードにおいてはＦＭコンポジット信号の入力を受け入れ、ＡＭラジオモードにおいてはＡＭ検波信号の入力を受け入れる。キャンセル信号出力端子２３はパイロットキャンセル信号を出力する。
【０００８】
これらの端子は、例えば集積回路６にピンとして形成され、集積回路６外においてコンデンサＣや抵抗器Ｒなどの回路要素を介して接続されている。即ち、図３の例においては、ＦＭ信号出力端子２０とＦＭ／ＡＭ信号入力端子２２とはコンデンサＣ５、抵抗器Ｒ５を介して接続されている。また、ＦＭ信号出力端子２０とＰＬＬ入力端子２４とはコンデンサＣ６を介して接続されている。また、ＡＭ信号出力端子２５とＦＭ／ＡＭ信号入力端子２２とはコンデンサＣ７、抵抗器Ｒ７を介して接続されている。また、キャンセル信号出力端子２３とＦＭ／ＡＭ信号入力端子２２とはコンデンサＣ８、抵抗器Ｒ８を介して接続されている。
【０００９】
ＦＭラジオモードにおいては、ＦＭ復調回路４０が生成したＦＭコンポジット信号はＦＭ信号出力端子２０から出力され、コンデンサＣ５、抵抗器Ｒ５を介してＦＭ／ＡＭ信号入力端子２２に入力される。また、ＦＭ信号出力端子２０から出力されたＦＭコンポジット信号は、コンデンサＣ６を介してＰＬＬ入力端子２４へも入力される。
【００１０】
ＰＬＬ入力端子２４から受け入れられたＦＭコンポジット信号はＰＬＬ回路４３に入力される。ＰＬＬ回路４３は、この受け入れたＦＭコンポジット信号に含まれるパイロット信号に基づいてサブキャリアを発生し、デコーダ回路４５に出力する。また、ＰＬＬ回路４３は、パイロット信号に基づいてスイッチング信号を生成し、キャンセル信号生成回路４４に出力する。キャンセル信号生成回路４４は、受け入れたスイッチング信号に基づいてパイロットキャンセル信号を生成し、キャンセル信号出力端子２３から出力する。
【００１１】
キャンセル信号出力端子２３から出力されたパイロットキャンセル信号は、コンデンサＣ８、抵抗器Ｒ８を介してＦＭ／ＡＭ信号入力端子２２に入力される。ＦＭ／ＡＭ信号入力端子２２から入力されたパイロットキャンセル信号とＦＭコンポジット信号とは、反転アンプ３０に入力される。反転アンプ３０は、これらの信号を加算し、パイロット信号が打ち消されたＦＭコンポジット信号を生成し、デコーダ回路４５に出力する。デコーダ回路４５は、ＰＬＬ回路４３から受け入れたサブキャリア信号に基づいて、反転アンプ３０を介して受け入れたＦＭコンポジット信号からＦＭステレオ音声信号を再生し、出力する。
【００１２】
一方、ＡＭラジオモードにおいては、ＡＭ検波回路４１が生成したＡＭ検波信号がＡＭ信号出力端子２５から出力され、コンデンサＣ７、抵抗器Ｒ７を介してＦＭ／ＡＭ信号入力端子２２に入力される。ＦＭ／ＡＭ信号入力端子２２から受け入れられたＡＭ検波信号は、反転アンプ３０を介してデコーダ回路４５に入力され、デコーダ回路４５は、受け入れたＡＭ検波信号からＡＭモノラル音声信号を再生し、出力する。
【発明の開示】
【発明が解決しようとする課題】
【００１３】
上述したように、従来のＦＭ／ＡＭチューナ用集積回路６においては、ＦＭ信号出力端子２０、ＰＬＬ入力端子２４、ＡＭ信号出力端子２５、ＦＭ／ＡＭ信号入力端子２２、キャンセル信号出力端子２３の少なくとも５つの端子が備えられている。しかしながら、これらのうちＡＭ信号出力端子２５はＦＭラジオモードにおいて使用されず、ＦＭ信号出力端子２０、ＰＬＬ入力端子２４はＡＭラジオモードにおいて使用されない。即ち、従来のＦＭ／ＡＭチューナ用集積回路６は、モードによって使用しない余分な端子を備えており、このことが小型化を妨げる要因の一つとなっていた。
【００１４】
本発明は、このような問題に鑑みて為されたものであって、小型化が可能なＦＭ／ＡＭチューナ用集積回路を提供することをその目的の一つとする。
【課題を解決するための手段】
【００１５】
上記の問題を解決するため、本発明に係るＦＭ／ＡＭチューナ用集積回路は、ＦＭラジオモードにおいてはラジオ放送波を復調して生成したＦＭコンポジット信号の入力を受け入れ、ＡＭラジオモードにおいてはＡＭラジオ放送波を検波して生成したＡＭ検波信号を出力する共通端子を備えたことを特徴とする。
【００１６】
また、本発明に係るＦＭ／ＡＭチューナ用集積回路の他の好適な態様において、前記ＦＭコンポジット信号又は前記ＡＭ検波信号から音声信号を取り出す信号処理回路と、ＦＭラジオモードにおいては前記共通端子から受け入れられたＦＭコンポジット信号を前記信号処理回路に入力し、ＡＭラジオモードにおいては前記ＡＭ検波信号を前記信号処理回路に入力しないよう制御するスイッチング回路と、を備えてもよい。
【００１７】
また、前記スイッチング回路は、ＦＭラジオモードにおいてはオンとなり、ＡＭラジオモードにおいてはハイインピーダンス状態となって、前記ＡＭ検波信号が当該集積回路内部で前記信号処理回路に直接入力されることを阻止する、ものであってもよい。
【００１８】
また、前記スイッチング回路は、反転増幅回路を用いて構成されてもよい。
【００１９】
また、本発明に係るＦＭ／ＡＭチューナ用集積回路のさらに他の好適な態様において、前記ＡＭ検波信号を生成するＡＭ検波回路を備え、ＦＭラジオモードにおいては、前記ＡＭ検波回路をハイインピーダンス状態とすることとしてもよい。
【００２０】
また、本発明に係るＦＭ／ＡＭチューナ用集積回路のさらに他の好適な態様において、前記ＦＭコンポジット信号を生成するＦＭ復調回路を備え、ＡＭラジオモードにおいては、前記ＦＭ復調回路をローインピーダンス状態とすることとしてもよい。
【００２１】
また、本発明に係るＦＭ／ＡＭチューナ用集積回路のさらに他の好適な態様において、前記信号処理回路は、前記ＦＭコンポジット信号に含まれるパイロット信号を打ち消すためのパイロットキャンセル信号を生成するキャンセル信号生成回路を含み、前記生成したパイロットキャンセル信号の出力端子を備えることとしてもよい。
【００２２】
また、本発明に係るＦＭ／ＡＭチューナ用集積回路のさらに他の好適な態様において、ＦＭラジオモードにおいてラジオ放送波を復調して生成した前記ＦＭコンポジット信号を外部に出力するＦＭ信号出力端子と、前記ＦＭ信号出力端子から出力された前記ＦＭコンポジット信号又は前記共通端子から出力された前記ＡＭ検波信号の入力を受け入れて、前記信号処理回路に出力するＦＭ／ＡＭ信号入力端子と、を備え、前記ＦＭ信号出力端子と前記ＦＭ／ＡＭ信号入力端子とは、第１の回路要素を介して接続され、前記ＦＭ信号出力端子と前記共通端子とは、第２の回路要素を介して接続され、前記共通端子と前記ＦＭ／ＡＭ信号入力端子とは、第３の回路要素を介して接続され、前記第１、第２、第３の回路要素それぞれの回路定数は、ＦＭラジオモードにおける前記ＦＭコンポジット信号が前記第３の回路要素を介して前記ＦＭ／ＡＭ信号入力端子に入力されることを阻止し、ＡＭラジオモードにおける前記ＡＭ検波信号が前記第１の回路要素を介して前記ＦＭ／ＡＭ信号入力端子に入力されることを阻止するよう設定されている、こととしてもよい。
【００２３】
本発明に係るＦＭ／ＡＭチューナは、上記いずれかの集積回路を含んで構成されることを特徴とする。
【００２４】
本発明に係るＦＭ／ＡＭチューナの他の好適な態様において、前記集積回路は、前記ＦＭコンポジット信号を出力するＦＭ信号出力端子と、前記ＦＭコンポジット信号と前記ＡＭ検波信号の入力を受け入れるＦＭ／ＡＭ信号入力端子と、を備え、前記ＦＭ信号出力端子と前記ＦＭ／ＡＭ信号入力端子とは、第１の回路要素を介して接続され、前記ＦＭ信号出力端子と前記共通端子とは、第２の回路要素を介して接続され、前記共通端子と前記ＦＭ／ＡＭ信号入力端子とは、第３の回路要素を介して接続され、前記第１、第２、第３の回路要素それぞれの回路定数は、ＦＭラジオモードにおける前記ＦＭコンポジット信号が前記第３の回路要素を介して前記ＦＭ／ＡＭ信号入力端子に入力されることを阻止し、ＡＭラジオモードにおける前記ＡＭ検波信号が前記第１の回路要素を介して前記ＦＭ／ＡＭ信号入力端子に入力されることを阻止するよう設定されている、こととしてもよい。
【発明を実施するための最良の形態】
【００２５】
以下、本発明の一実施形態に係るＦＭ／ＡＭチューナ用集積回路及びこれを含んで構成されるＦＭ／ＡＭチューナについて、図面を参照しつつ説明する。まず、図１に、本発明に係るＦＭ／ＡＭチューナ用ワンチップ集積回路２及びこれを含んで構成されるＦＭ／ＡＭチューナ１の基本的な構成を表すブロック図を示す。本図に示すように、集積回路２は、従来の集積回路６（図３参照）と同様のＦＭ復調回路４０、ＡＭ検波回路４１、信号処理回路４２、反転アンプ３０、を含んで構成され、従来の集積回路６と同様のＦＭ信号出力端子２０、共通端子２１、ＦＭ／ＡＭ信号入力端子２２、キャンセル信号出力端子２３、を備えている。
【００２６】
共通端子２１は、ＦＭラジオモードにおいてはＦＭコンポジット信号の入力を受け入れ、ＡＭラジオモードにおいてはＡＭ検波信号を出力する。即ち、ＦＭモードにおいては共通端子２１を介してＦＭコンポジット信号が集積回路２外から集積回路２内へ入力され、ＡＭモードにおいては、ＡＭ検波信号が共通端子２１を介して集積回路２内から集積回路２外へ出力される。
【００２７】
このように、共通端子２１は、従来の集積回路６におけるＰＬＬ入力端子２４とＡＭ信号出力端子２５（図３参照）を一体化して、これら両方の端子の役割を担うよう構成されており、ＦＭ又はＡＭの各モードに応じて共通端子２１を介した集積回路２内外への信号の伝送方向（入出力）が逆転する。したがって、ＦＭ／ＡＭチューナ１内においては、モードによって共通端子２１を介して伝送される信号の種類（ＦＭコンポジット信号、ＡＭ検波信号）が異なるにも関わらず、これらの信号の処理をモードによって切り替えるための複雑な回路を集積回路２外に形成する必要が無い。したがって、共通端子２１を備えた集積回路２は、従来の集積回路６に比べて端子数を削減することによる小型化が可能であり、且つこの集積回路２を含んで構成されるＦＭ／ＡＭチューナ１は、従来のＦＭ／ＡＭチューナ５に比べて小型化が可能となる。
【００２８】
もっとも、図１に示す集積回路２を用いたＦＭ／ＡＭチューナ１においては、例えば次の（１）〜（３）のような問題が生じ得る。即ち、（１）ＦＭラジオモードにおいて、ＦＭ信号出力端子２０から出力されたＦＭコンポジット信号が、コンデンサＣ６、コンデンサＣ７、抵抗器Ｒ７を介してもＦＭ／ＡＭ信号入力端子２２に入力された場合には、デコーダ回路４５からの音声信号出力が大きくなってしまう。また、（２）ＦＭラジオモードにおいて、ＦＭ信号出力端子２０から出力されたＦＭコンポジット信号が、コンデンサＣ５、抵抗器Ｒ５、コンデンサＣ７、抵抗器Ｒ７、共通端子２１を介してもＰＬＬ回路４３に入力された場合には、ＰＬＬ回路４３に入力されるパイロット信号の位相回転が生じ、ＦＭステレオ音声信号のセパレーション（Ｌ信号とＲ信号との分離）が悪くなる。また、（３）ＡＭラジオモードにおいて、共通端子２１から出力されたＡＭ検波信号が、コンデンサＣ６、コンデンサＣ５、抵抗器Ｒ５を介してもＦＭ／ＡＭ信号入力端子２２に入力された場合には、デコーダ回路４５からの音声信号出力が大きくなってしまう。
【００２９】
そこで、本実施形態に係る集積回路２を含むＦＭ／ＡＭチューナ１は、図２に示すようなものとしてもよい。即ち、本実施形態に係る集積回路２は、図２に示すように、ＦＭ復調回路１０、ＡＭ検波回路１１、信号処理回路１２、反転アンプ３０、スイッチング回路３１を備えている。信号処理回路１２は、さらにＰＬＬ回路１３、キャンセル信号生成回路１４、デコーダ回路１５を含んで構成されている。
【００３０】
ＦＭ復調回路１０は、ＦＭラジオモードにおいては、受信したＦＭラジオ放送波を復調してＦＭコンポジット信号を生成し、出力する。また、ＦＭ復調回路１０は、ＡＭラジオモードにおいては、ローインピーダンス状態となるよう構成されている。
【００３１】
ＡＭ検波回路１１は、ＡＭラジオモードにおいては、受信したＡＭラジオ放送波を検波してＡＭ検波信号を生成し、出力する。また、ＡＭ検波回路１１は、ＦＭラジオモードにおいてハイインピーダンス状態となるよう構成されている。
【００３２】
スイッチング回路３１は、本実施形態においては反転増幅器を用いて構成される。スイッチング回路３１は、ＦＭラジオモードにおいてはオンとなって、ＦＭコンポジット信号を受け入れ、このＦＭコンポジット信号を反転増幅して出力する。また、スイッチング回路３１は、ＡＭラジオモードにおいてはハイインピーダンス状態となるよう構成されている。
【００３３】
信号処理回路１２は、ＦＭコンポジット信号、ＡＭ検波信号から音声信号を取り出し、出力する。ＰＬＬ回路１３はサブキャリアを発生し、出力する。また、ＰＬＬ回路１３はスイッチング信号を生成し、出力する。キャンセル信号生成回路１４は、パイロットキャンセル信号を生成し、出力する。デコーダ回路１５は、ＦＭラジオモードにおいて、受け入れたＦＭコンポジット信号からＦＭステレオ音声信号を再生して出力する。また、デコーダ回路１５は、ＡＭラジオモードにおいて、受け入れたＡＭ検波信号からＡＭモノラル音声信号を再生して出力する。
【００３４】
また、本実施形態に係る集積回路２は、図１に示した例と同様のＦＭ信号出力端子２０、共通端子２１、ＦＭ／ＡＭ信号入力端子２２、キャンセル信号出力端子２３、を備えている。
【００３５】
ＦＭ／ＡＭチューナ１内において、集積回路２のＦＭ信号出力端子２０とＦＭ／ＡＭ信号入力端子２２とは、コンデンサＣ１、抵抗器Ｒ１を含む第１の回路要素を介して接続されている。また、ＦＭ信号出力端子２０と共通端子２１とは、コンデンサＣ２、抵抗器Ｒ２を含む第２の回路要素を介して接続されている。また、共通端子２１とＦＭ／ＡＭ信号入力端子２２とは、コンデンサＣ３、抵抗器Ｒ３を含む第３の回路要素を介して接続されている。また、キャンセル信号出力端子２３とＦＭ／ＡＭ信号入力端子２２とは、コンデンサＣ４、抵抗器Ｒ４を含む第４の回路要素を介して接続されている。Ｒ４は、共通端子２１が反転入力であることに対応して、入力レベル設定用に設けられている。
【００３６】
これら第１、第２、第３の回路要素それぞれの回路定数は、ＦＭラジオモードにおけるＦＭコンポジット信号が、第３の回路要素（Ｃ３、Ｒ３）を介してＦＭ／ＡＭ信号入力端子２２に入力されることを阻止し、ＡＭラジオモードにおけるＡＭ検波信号が、第１の回路要素（Ｃ１、Ｒ１）を介してＦＭ／ＡＭ信号入力端子２２に入力されることを阻止するよう設定されている。
【００３７】
次に、図２に示すＦＭ／ＡＭチューナ１内の回路動作について説明する。まず、ＦＭラジオモードにおいては、ＦＭ復調回路１０がＦＭコンポジット信号を生成して出力する。このＦＭコンポジット信号はＦＭ信号出力端子２０から集積回路２外へ出力される。
【００３８】
ここで、スイッチング回路３１はオン状態となっている。これにより、共通端子２１から第３の回路要素（Ｃ３、Ｒ３）を介した反転アンプ３０の入力側までのインピーダンスよりも、共通端子２１からスイッチング回路３１の入力側までのインピーダンスの方が低くなるために、ＦＭ信号出力端子２０から出力されたＦＭコンポジット信号が第３の回路要素（Ｃ３、Ｒ３）を介してＦＭ／ＡＭ信号入力端子２２に入力されることが阻止される。
【００３９】
また、ＡＭ検波回路１１はハイインピーダンス状態となっているために、ＦＭ信号出力端子２０から出力されたＦＭコンポジット信号が第３の回路要素（Ｃ３、Ｒ３）を介して共通端子２１に入力されることが阻止される。
【００４０】
したがって、ＦＭ信号出力端子２０から出力されたＦＭコンポジット信号は、第１の回路要素（Ｃ１、Ｒ１）を介してＦＭ／ＡＭ信号入力端子２２に入力されると共に、第２の回路要素（Ｃ２、Ｒ２）を介して共通端子２１に入力される。
【００４１】
ここで、スイッチング回路３１は、共通端子２１から受け入れられたＦＭコンポジット信号を信号処理回路１２に入力するよう制御する。即ち、ＡＭ検波回路１１はハイインピーダンス状態となっている。これにより、共通端子２１からスイッチング回路３１の入力側までのインピーダンスよりも、共通端子２１からＡＭ検波回路１１の入力側までのインピーダンスの方が高くなり、共通端子２１から受け入れられたＦＭコンポジット信号は、スイッチング回路３１に入力される。スイッチング回路３１は、共通端子２１を介して受け入れたＦＭコンポジット信号を反転増幅して、信号処理回路１２のＰＬＬ回路１３に出力する。
【００４２】
ＰＬＬ回路１３は、スイッチング回路３１を介して受け入れたＦＭコンポジット信号に含まれるパイロット信号に基づいて、サブキャリアを発生してデコーダ回路１５に出力する。また、ＰＬＬ回路１３は、受け入れたＦＭコンポジット信号に含まれるパイロット信号に基づいて、スイッチング信号を生成してキャンセル信号生成回路１４に出力する。
【００４３】
キャンセル信号生成回路１４は、ＰＬＬ回路１３から受け入れたスイッチング信号に基づいて、パイロット信号とは逆相のパイロットキャンセル信号を生成し、出力する。このパイロットキャンセル信号はキャンセル信号出力端子２３から出力される。
【００４４】
キャンセル信号出力端子２３から出力されたパイロットキャンセル信号は、第４の回路要素（Ｃ４、Ｒ４）を介してＦＭ／ＡＭ信号入力端子２２に入力される。
【００４５】
ＦＭ／ＡＭ信号入力端子２２から受け入れられたパイロットキャンセル信号と、ＦＭ信号出力端子２０から出力されてＦＭ／ＡＭ信号入力端子２２から受け入れられたＦＭコンポジット信号とは、反転アンプ３０に入力される。反転アンプ３０は、これらの信号を加算し、パイロット信号が打ち消されたＦＭコンポジット信号を生成し、デコーダ回路１５に出力する。なお、コンポジット信号のパイロット信号の打ち消し度合いは、第４の回路要素（Ｃ４、Ｒ４）の回路定数によって制御される。
【００４６】
デコーダ回路１５は、ＰＬＬ回路１３から受け入れたサブキャリア信号に基づいて、反転アンプ３０を介して受け入れたＦＭコンポジット信号からＦＭステレオ音声信号を再生し、出力する。
【００４７】
一方、ＡＭラジオモードにおいては、ＡＭ検波回路１１がＡＭ検波信号を生成し、出力する。ここで、スイッチング回路３１は、ＡＭ検波信号を信号処理回路１２に入力しないように制御する。即ち、スイッチング回路３１はハイインピーダンス状態となっている。これにより、ＡＭ検波回路１１の出力側から共通端子２１までのインピーダンスよりも、ＡＭ検波回路１１の出力側からスイッチング回路３１の入力側までのインピーダンスが高くなるために、ＡＭ検波回路１１から出力されたＡＭ検波信号が集積回路２内部で信号処理回路１２に直接入力されることが阻止される。
【００４８】
したがって、ＡＭ検波回路１１が生成したＡＭ検波信号は、共通端子２１から出力される。
【００４９】
ここで、ＦＭ復調回路１０はローインピーダンス状態となっている。これにより、ＦＭ信号出力端子２０から第１の回路要素（Ｃ１、Ｒ１）を介したＦＭ／ＡＭ信号入力端子２２までのインピーダンスよりも、ＦＭ信号出力端子２０からＦＭ復調回路１０の出力側までのインピーダンスのほうが低くなるため、共通端子２１から出力されたＡＭ検波信号が第１の回路要素（Ｃ１、Ｒ１）を介してＦＭ／ＡＭ信号入力端子２２に入力されることが阻止される。
【００５０】
したがって、共通端子２１から出力されたＡＭ検波信号は、第３の回路要素（Ｃ３、Ｒ３）を介してＦＭ／ＡＭ信号入力端子２２に入力される。
【００５１】
ＦＭ／ＡＭ信号入力端子２２から受け入れられたＡＭ検波信号は、反転アンプ３０に入力される。反転アンプ３０は、受け入れたＡＭ検波信号を反転増幅してデコーダ回路１５に出力する。デコーダ回路１５は、反転アンプ３０を介して受け入れたＡＭ検波信号からＡＭモノラル音声信号を再生し、出力する。
【図面の簡単な説明】
【００５２】
【図１】本発明に係る集積回路及びこれを用いたＦＭ／ＡＭチューナの基本的な構成を表すブロック図である。
【図２】本発明の一実施形態に係る集積回路及びこれを用いたＦＭ／ＡＭチューナについて、その主な構成を表すブロック図である。
【図３】従来の集積回路及びこれを用いたＦＭ／ＡＭチューナの一例について、その主な構成を表すブロック図である。
【図４】ＦＭコンポジット信号の構成の一例を表す説明図である。
【符号の説明】
【００５３】
１，５  ＦＭ／ＡＭチューナ、２，６  集積回路、１０，４０  ＦＭ復調回路、１１，４１  ＡＭ検波回路、１２，４２  信号処理回路、１３，４３  ＰＬＬ回路、１４，４４  キャンセル信号生成回路、１５，４５  デコーダ回路、２０  ＦＭ信号出力端子、２１  共通端子、２２  ＦＭ／ＡＭ信号入力端子、２３  キャンセル信号出力端子、２４  ＰＬＬ入力端子、２５  ＡＭ信号出力端子、３０  反転アンプ、３１  スイッチング回路。
【図１】
2005229239.tif 000003
【図２】
2005229239.tif 000004
【図３】
2005229239.tif 000005
【図４】
2005229239.tif 000006